(57)【要約】【課題】被処理体に付着する異物粒子数を低減させた半導体製造装置を提供する。【解決手段】本発明では、被処理体を処理するための処理室と、該処理室にガスを供給するガス供給手段と、被処理体を戴置するための戴置電極と、前記処理室を減圧するターボ分子ポンプと、前記処理室の圧力を調整するために前記ターボ分子ポンプと前記処理室の間に設置されたバタフライバルブとを有する半導体製造装置において、前記バタフライバルブのフラッパーに異物粒子落下防止用のストッパーを設置した。【選択図】図１Ａ
2010040746.tif 000002
【特許請求の範囲】
【請求項１】
処理室と、該処理室に処理ガスを供給するためのガス供給手段と、被処理体を戴置するための戴置電極と、前記処理室内でプラズマを生成するためのプラズマ生成手段と、前記処理室を減圧するためのターボ分子ポンプと、前記処理室の圧力を調整するために前記ターボ分子ポンプの上流側に配置されたバタフライバルブとを有する真空処理装置において、
前記バタフライバルブは、回転可能に支持されたフラッパーと、該フラッパー上に落下した異物粒子が前記ターボ分子ポンプに落下しないように該フラッパーの一端に設置された異物粒子落下防止用のストッパーと、前記フラッパーの開度を調整可能なアクチュエータとを有することを特徴とする真空処理装置。
【請求項２】
請求項１において、前記フラッパーは、交換可能であり、かつ、前記被処理体の処理時に、前記ストッパーの設置された側が下流側になるようにして開度が制御されることを特徴とする真空処理装置。
【請求項３】
処理室と、前記処理室に処理ガスまたはキャリアガスを供給するためのガス供給手段と、被処理体を戴置するための戴置電極と、前記処理室内でプラズマを生成するためのプラズマ生成手段と、前記処理室を減圧するためのターボ分子ポンプと、前記処理室の圧力を調節するために前記ターボ分子ポンプの上流側に配置されたバタフライバルブと、前記バタフライバルブのフラッパーに設置された異物粒子落下防止用のストッパーと、真空搬送室と、前記真空搬送室にキャリアガスを供給するためのガス供給手段と、前記真空搬送室を減圧するための排気手段と、ロック室と、前記ロック室にベントガスを供給するためのガス供給手段と、前記ロック室を減圧するための排気手段とを有する真空処理装置において、
前記処理室の圧力をP１、前記真空搬送室の圧力をP２、前記ロック室の真空引き完了圧力をP３としたとき、被処理体の搬送中は、次の圧力の関係が成り立つように制御することを特徴とする真空処理装置。
Ｐ１  ＜  Ｐ２  ＜  Ｐ３
Ｐ２−Ｐ１≦Ｐ３−Ｐ２
３０［Ｐａ］  ≦  Ｐ３  ≦  １４０［Ｐａ］
【請求項４】
請求項３において、前記バタフライバルブの開度は水平状態で全閉とし、前記被処理体の搬送中は、前記ストッパーの設置された側が下流側になるようにして前記バタフライバルブの開度を５０％以下に制御することを特徴とする真空処理装置。
【発明の詳細な説明】
【技術分野】
【０００１】
本発明は、真空処理装置に係り、特に、真空排気用のターボ分子ポンプの上流側に配置されたバタフライバルブを備えた真空処理装置に関する。
【背景技術】
【０００２】
DRAMやマイクロプロセッサ等の半導体装置の製造工程において、プラズマエッチングやプラズマCVDが広く用いられている。
【０００３】
一般に、真空処理装置は、処理室を減圧するためのターボ分子ポンプと、処理室の圧力を調整するために真空処理室の下流側でかつターボ分子ポンプの上流側に配置されたバタフライバルブなどの調圧バルブとを備えている。処理ガスはガスボンベやレギュレーターなどからなるガス供給系から処理ガス供給系へ供給される。例えば特許文献１に開示されているように、処理ガスは主ガスと添加ガスの２種類を混合させて処理室内に供給され、さらに下流側のターボ分子ポンプにより減圧、排気される。
【０００４】
プラズマを用いた半導体装置の加工における課題の１つに、ウエハ等の被処理体に付着する異物粒子数を低減することが挙げられる。例えばエッチング処理中や処理前に被処理体の微細パターン上に異物粒子が落下すると、その部位は局所的にエッチングが阻害される。その結果、被処理体の微細パターンには断線などの不良が生じ歩留まり低下を引き起こす。そのため、ガス粘性力や熱泳動力、クローン力などを用いて異物粒子の輸送を制御し、被処理体に付着する異物数を低減する方法が多数考案されている。
【０００５】
【特許文献１】特開２００６−４１０８８号公報
【発明の開示】
【発明が解決しようとする課題】
【０００６】
近年、ターボ分子ポンプにより高速で跳ね返される異物粒子による汚染が問題になっている。処理ガスやキャリアガスの流れに乗ってターボ分子ポンプに流入する異物粒子の速度は、おおむねガスの流体としての速度と同等となり、例えば１m/s〜１０m/sである。対して、ターボ分子ポンプのブレードの回転速度は数百m/sにもなる。そのため、異物粒子はターボ分子ポンプのブレードをすり抜けることができず、ブレードの先端部で高速ではじき飛ばれる。このようにして跳ね返された高速異物粒子は真空処理室内に飛散し、一部はウエハに付着することになる。このようなメカニズムによる異物粒子の飛散を防ぐためには、ターボ分子ポンプに異物粒子が落下・流入しないようにすることが重要である。
【０００７】
本発明の目的は、被処理体に付着する異物粒子数を低減させた真空処理装置を提供することにある。
【課題を解決するための手段】
【０００８】
本発明では、処理室と、該処理室に処理ガスを供給するためのガス供給手段と、被処理体を戴置するための戴置電極と、前記処理室内でプラズマを生成するためのプラズマ生成手段と、前記処理室を減圧するためのターボ分子ポンプと、前記処理室の圧力を調整するために前記ターボ分子ポンプの上流側に配置されたバタフライバルブとを有する真空処理装置において、前記バタフライバルブは、回転可能に支持されたフラッパーと、該フラッパー上に落下した異物粒子が前記ターボ分子ポンプに落下しないように該フラッパーの一端に設置された異物粒子落下防止用のストッパーと、前記フラッパーの開度を調整可能なアクチュエータとを有することを特徴とする。
【発明の効果】
【０００９】
本発明によれば、バタフライバルブのフラッパーに異物落下防止用のストッパーを設けることにより、バタフライバルブのフラッパー上に落下した異物粒子が、調圧動作中にフラッパーからターボ分子ポンプ内へ落下することを阻止することができる。これによりターボ分子ポンプによる異物粒子の飛散を大幅に低減することができる。
【発明を実施するための最良の形態】
【００１０】
本発明は、被処理体を処理するための処理室と、該処理室にガスを供給するガス供給手段と、被処理体を戴置するための戴置電極と、前記処理室を減圧するターボ分子ポンプと、前記処理室の圧力を調整するために前記ターボ分子ポンプと前記処理室の間に設置されたバタフライバルブとを有する半導体製造装置において、前記バタフライバルブのフラッパーに異物粒子落下防止用のストッパーを設置したものである。  
以下、図に基いて、実施例を詳細に説明する。  
本発明になる真空処理装置の実施例について、プラズマ処理装置を例に図面を参照しながら説明する。最初に、図２により本発明が適用されるプラズマ処理装置の全体構成の概要について説明する。本プラズマ処理装置は図２に示すとおり、１つの真空搬送室６１に４つの処理室１が接続されている。この真空搬送室内には、ウエハ等の被処理体２を搬送するための真空搬送ロボット６２が設置されている。また真空搬送室６１には２つのロック室６５を介して大気側搬送室６３が接続されている。大気側搬送室６３には、被処理体を搬送するための大気搬送ロボット６４と、被処理体２を回転させながら被処理体のノッチ位置や、被処理体の中心を検出するためのウエハアライナー６６が設置されている。また、大気側搬送室のロック室６５に対して反対側には被処理体を収納するフープ６８を設置するためのウエハステーション６７が設置されている。さらに、大気側搬送室には被処理体の裏面外周部に付着した堆積物を除去するためのウエハエッジクリーナー６９が接続されている。  
また、本プラズマ処理装置全体を制御するための制御コンピューター７９が設置されている。以下に述べるバタフライバルブの開度もこの制御コンピューター７９により制御される。
【００１１】
図３は、図２に示した構成のうち、処理室１と真空搬送室６１とロック室６５の構成をより詳細に示したものである。まず処理室１から説明する。処理室１の上方にはプラズマ生成用の高周波電力を供給するためのアンテナ３が設置されている。該アンテナには整合器２２−１を介してプラズマ生成のための高周波電源（ソース電源）２０が接続されている。また、該アンテナには処理ガスを径方向に分散させるためのガス分散板３と、処理ガスを処理室内に導入するための小さなガス孔が多数設けられたシャワープレート５が設置されている。該分散板は内側の領域と外側の領域の２つに分割されており、シャワープレートの中心付近と外周付近で組成や流量の異なる処理ガスを独立に供給できるようにしている。処理ガスはガスボンベやレギュレーターなどからなるガス供給系（詳細構成は図示せず）４９から処理ガス供給系９２へ供給される。処理ガスは主ガスと添加ガスの２種類を混合させて処理室内に供給される。主ガスはガス供給源４９から供給されたガスをマスフローコントローラー５０−１〜５０−６を介して所定の流量を流し、合流させて生成される。該主ガスはガス分配機５１にて所定の流量比で２つに分岐し、一方は分散板の内側の領域、他方は分散板の外側の領域に供給されるようになっている。添加ガスはガス供給源４９から供給され、マスフローコントローラー５０−７、５０−８を介して所定の流量比で前記２つに分岐した主ガスそれぞれに混合させるようになっている。このようなガス供給系の機能や効果については特許文献１に詳しく説明されている。なお、被処理体の搬送中等に、処理室内にキャリアガスを供給する際は、処理ガス供給系９２を介して窒素ガスや、Ａｒガス等を流すため、処理ガス供給系はキャリアガス供給機能も兼ねている。ここでキャリアガスとは、異物粒子や、腐食性ガス、堆積性ガスの輸送を制御するために供給するガスのことを言う。
【００１２】
処理室１には被処理体２を戴置して処理するための戴置電極４、及び戴置電極４の上下駆動機構７３を備えている。該戴置電極には、被処理体に入射するイオンを加速する等の目的でバイアス電力を印加するためのバイアス電源２１が整合器２２-２を介して接続されている。
【００１３】
また、処理室１には処理室内を減圧するための排気手段としてターボ分子ポンプ４１が取り付けられている。さらに、処理室内の圧力を制御するため、バタフライバルブ４３がターボ分子ポンプ４１の上部に取り付けられている。ターボ分子ポンプ４１の下流にはドライポンプ４２−１が接続されている。また、処理室１を前記ターボ分子ポンプや前記ドライポンプ等から構成される排気系から遮断するため、メインバルブ４４がバタフライバルブ４３の上方に設置されている。
【００１４】
また、処理室内をベントするため、窒素や乾燥空気などのベントガスが、ガス供給源４９から、バルブ５２−５及びレギュレーター５３−３を介して供給されるようになっている。さらに、前記メインバルブ４４を閉じた状態でバタフライバルブ及びターボ分子ポンプをベントできるようにするため、バルブ５２−４及びレギュレーター５３−２を介してベントガスを供給できるようになっている。制御コンピューター７９により、モータ等のアクチュエータ４３０を介して、バタフライバルブ４３の開度が制御される。
【００１５】
また、処理室１には、磁場を形成するためのコイル２６とヨーク２７が設置されている。また、処理室１には処理室内の圧力を測定するための真空計５４−１が設置されている。なお、処理室に接続されたアンテナにバイアス電力を印加するための高周波電源や被処理体を戴置電極に固定するための静電吸着用の電源等は図示を省略した。
【００１６】
処理室１は、２つのゲートバルブ７０−１と７０−２を介して真空搬送室６１と接続されている。処理室側のゲートバルブ７０−１は主に、処理室内壁が高周波電力から見て同軸（回転対称）になっているようにするため、及び処理室と真空搬送室の接続部が堆積性のガスや腐食性のガスで汚染されるのを防止することを目的としており、別名でプロセスバルブとも呼ぶ。対して真空搬送室側のゲートバルブ７０−２は処理室と真空搬送室の間のガスの流れを完全に遮断する機能を持ち、例えば片方が大気、もう片方が真空であってもガスの流れを遮断できる。
【００１７】
次に、真空搬送室６１について説明する。真空搬送室６１にはキャリアガス供給系９３が接続されている。キャリアガスはガス供給源４９から供給される窒素ガス、Ａｒガス、乾燥空気などを用いるものとし、マスフローコントローラー５０−９によって真空搬送室内に所定の流量で供給される。真空搬送室には該真空搬送室内を減圧するためドライポンプ４２−２がバルブ５２−１を介して接続されている。また、真空搬送室内の圧力を測定するため、圧力計５４−２が設置されている。
【００１８】
次に、ロック室６５の構成について述べる。ロック室６５にはバルブ（スローＯＰＥＮバルブ）５２−２とドライポンプ４２−３から成る真空排気系が設置されている。ここでスローＯＰＥＮバルブとは、バルブ内の弁体の移動速度を調整できるタイプのバルブであり、弁体がＣＬＯＳＥ位置からＯＰＥＮ位置まで移動するのにかかる時間を長くすることで、排気ラインのコンダクタンスが徐々に大きくすることができ、ロック室内の真空引きにおいて急減圧を抑制できるメリットがある。急減圧を抑制するメリットとしては、急激なガスの流れによる異物粒子の発生の抑制、被処理体の微細パターンの倒れの抑制、結露の抑制が挙げられる。
【００１９】
また、ロック室６５にはベントガスを供給するためのベントガス供給系４６が設置されている。ここでベントガスとは真空から大気へ圧力を上げる際に真空チャンバー内に供給するガスのことを言う。ベントガスはガス供給源４９から供給される窒素や乾燥空気を用いる。ベントガス供給系４６は異物舞上げ防止のためのガスディフューザー８４と、ベントガスの供給量を調節するためのレギュレーター５３−１と、バルブ５２−３からなる。また、ロック室内の圧力を測定するため、圧力計５４−３が設置されている。
【００２０】
次に、バタフライバルブ４３の構成について図１を参照に説明する。図１Ａはバタフライバルブ４３を横から見た概略、図１Ｂはバタフライバルブのフラッパー８７を立体的に示した斜視図である。図１に示したバタフライバルブ４３では、２枚のフラッパー８７が設置されており、アクチュエータ４３０で駆動される回転軸１７１を中心として回転するようになっている。このフラッパー８７の端には異物粒子落下防止用のストッパー８８が設置されている。さらにストッパーの両脇には取り外し可能な蓋１７２が設置されている。
次にバタフライバルブの開度について図４を参照に説明する。図４は図１Ａと同じ構成である。図４Ａが全閉（開度０％）、図４Ｃが全開（開度１００％）であり、図４Ｂの開度が例えば２０%（ここでθ／９０°×１００＝２０％であると仮定した。）である。
【００２１】
次にフラッパーに設置された異物粒子落下防止用のストッパー８８の役割について説明する。図５Ａはプラズマ処理中や処理前後において、バタフライバルブの上方で発生した異物粒子８０がバタフライバルブのフラッパー８７に落下・付着している様子を示している。異物粒子の発生要因としては、例えば処理室のプラズマ処理中におけるパーツの削れや、搬送動作における各種駆動機構の摩耗、内壁の温度の変化に伴って発生した熱応力による内壁付着物の剥離が挙げられる。図５Ａのように、フラッパー上に異物粒子が落下した状態で、図５Ｂのようにフラッパーを開ける（開度を上げる）と、フラッパー上の異物粒子は下の方に落下するが、異物粒子落下防止用のストッパー８８がこの異物粒子を受け止め、ターボ分子ポンプ内に落下するのを防ぐことができる。また、蓋１７２はストッパー８８の中に溜まった異物粒子が横から漏れ出すのを防ぐためのものである。
【００２２】
図６は、ストッパーが無い場合を示したものである。図６Ａに示したように、異物流がフラッパー上に落下・付着した状態で、図６Ｂのように開度を上げると、異物粒子はターボ分子ポンプ４１に落下し、落下した異物粒子はターボ分子ポンプ内で高速で回転しているブレード１７３ではじき飛ばされ、高速異物粒子としてチャンバー内を飛散する。この高速異物粒子は複数回処理室内壁で反射しながら、一部は戴置電極上に戴置されたウエハ上等に落下して付着する。以上よりバタフライバルブのフラッパーに異物粒子落下防止用のストッパーを設置することにより、ターボ分子ポンプ４１に落下する異物粒子数を低減することができる。
【００２３】
なお、これまでは２枚のフラッパーで構成されるバタフライバルブについて述べてきたが、フラッパーの枚数がこれよりも多いバタフライバルブでも同様な効果が得られる。図７にはフラッパーが４枚（８７−１〜８７−４）設置されたバタフライバルブ４３に本発明を適用した例を示している。なお、異物粒子落下防止用のストッパー８８は、フラッパーが全開となったとき、下流側（ターボ側）となる端に取り付けるようにする。
【００２４】
また、図８に示したように、異物落下防止用ストッパー８８はフラッパー８７の表面（全閉時に処理室側となる面）と裏面（全閉時にターボ側となる面）の両方に設置してもよい。この場合、バタフライバルブが全開となったとき、何らかの理由でフラッパーの裏面に付いていた異物粒子が剥離したとき、この異物粒子がターボ分子ポンプに落下するのを阻止することができる。
【００２５】
また、図９に示したように、異物落下防止用のストッパー８８に一旦溜まった異物粒子が、ストッパー８８から漏れ出さないようにするため、ストッパーの入り口部にかえし１７４を設置するとよい。加えて、フラッパー上や、フラッパーに設けた異物落下防止用のストッパー内には真空グリスなど、粘りのある部材を塗布しておくと大きな異物粒子が落下した際に、フラッパーから剥離してターボ分子ポンプ内に落下するリスクを低減できる。
【００２６】
次に異物落下防止ストッパーの大きさの制限について述べる。図１０Aは望ましい場合、図１０Bは望ましくない場合を示している。点線の円αはフラッパー８７が軸１７１を中心に回転したとき、フラッパーの先端部分の軌跡を示したものである。図１０Aでは異物落下防止用のストッパー８８の底面がフラッパー面に垂直な線分よりも内側に傾斜しており、フラッパーがどの位置にあっても点線αで示す円をはみ出していない。これに対して図１０Bでは、異物落下防止用のストッパー８８の底面がフラッパー面に垂直であるため、図中のXの部分が円αをはみ出している。この場合、例えば図７において、フラッパー８７−２と８７−３がぶつかる恐れが生じる。そのため、異物落下防止用のストッパーはフラッパーが回転したときに、他のフラッパーや、バタフライバルブの内壁等に衝突しないような構造としなければならない。
【００２７】
次に、バタフライバルブの開度の最適な制御方法について述べる。例えばバタフライバルブに異物落下防止用のストッパーが付いていても、装置の運用全般において、バタフライバルブの開度が全開の状況が大半を占めていることは望ましくない。即ち、異物粒子がバタフライバルブ内に落下しても、フラッパーがこの異物粒子を受け止め、ターボ分子ポンプに流入しないようにできるだけ開度を小さくしなければならない。これを図１１と図１２を参照に説明する。
【００２８】
図１１、図１２はある１枚のウエハの処理する場合を例として、ウエハの位置、ゲートバルブの開閉、ロック室と処理室と真空搬送室におけるガス供給量と圧力、及びバタフライバルブの開度の時間変化を示している。なお、図１２は図１１の続きであり、プラズマ処理中を含めた前半が図１１、プラズマ処理中を含めた後半が図１２である。まず、全体の流れを説明する。
【００２９】
まず、ウエハを大気搬送室からロック室へ搬送するため、ロック室のベントを開始し(ｔ１)、ベント完了後(ｔ２)、大気側搬送室とロック室の間のゲートバルブ７０−４を開け(ｔ３)、ウエハをロック室に搬入する(ｔ４)。次に、ゲートバルブ７０−４を閉め（ｔ５）、ロック室の真空引きを開始する(ｔ６)。ロック室内の圧力が所定の値に到達したら真空引きを中断し(ｔ７)、ロック室と真空搬送室の間のゲートバルブ７０−３を開け（ｔ８）、ウエハをロック室から真空搬送室へ搬送し(ｔ９)、ゲートバルブ７０−３を閉じる(ｔ１０)。次に、真空搬送室と処理室の間のゲートバルブ７０−２を開け(ｔ１１)、続けて真空搬送室と処理室の間にあるもう１つのゲートバルブ（プロセスバルブ）７０−１を開け(ｔ１２)、ウエハを真空搬送室から処理室へ搬送し(ｔ１３)、ゲートバルブ７０−１を閉じ（ｔ１４）、続けてゲートバルブ７０−２を閉じる（ｔ１５）。次に処理室内にキャリアガスとして供給していた窒素ガスの供給を中止すると共に、処理ガスの供給を開始し、これと同時にバタフライバルブによる調圧を開始する(ｔ１６)。処理室内の調圧とキャリアガスから処理ガスへの置換が完了したら（ｔ１７）、プラズマを着け所定の処理を開始する(ｔ１８)。所定のプラズマ処理が終わったら(ｔ１９)、処理ガスの供給を止め、キャリアガスの供給を開始し、さらにバタフライバルの開度を下げる(ｔ２０)。調圧及びガスの置換が終わったら(ｔ２１)、ゲートバルブ７０−２を開け(ｔ２２)、続けてゲートバルブ７０−１を開け（ｔ２３）、ウエハを処理室から真空搬送室へ搬送し（ｔ２４）、ゲートバルブ７０−１を閉じ(ｔ２５)、続けてゲートバルブ７０−２を閉じる(ｔ２６)。その後、ゲートバルブ７０−３を開け(ｔ２７)、ウエハを真空搬送室からロック室へ搬送し(ｔ２８)、ゲートバルブ７０−３を閉じる（ｔ２９）。その後、ロック室のベントを開始し（ｔ３０）、ベント完了後(ｔ３１)、ゲートバルブ７０−４を開け(ｔ３２)、ウエハをロック室から大気側搬送室へ搬送し(ｔ３３)、ゲートバルブ７０−４を閉じる(ｔ３４)。その後、ロック室の真空引きを開始し(ｔ３４)、ロック室の圧力が所定の値に到達したら真空引きを終了する（ｔ３５）。
【００３０】
ここで、図１１、図１２におけるバタフライバルブの開度を見てみると分かるように、基本的にはｔ１〜ｔ３５の間で、開度が全開になっているタイミングが無いようにしている。放電中（ｔ１８〜ｔ１９）は所定の処理圧力に調圧する必要があり、バタフライバルブの開度は一般に５０%以下である。これはバタフライバルブの開度が５０%を大きく超えると、バタフライバルブの開度が変化してもコンダクタンスはほとんど変化せず、実質的には調圧することは難しいためである。また、被処理体の搬送中（ｔ１〜ｔ１７，ｔ２０〜ｔ３５）においては、バタフライバルブの開度は次の２つの理由からも小さい方がよい。
【００３１】
その１つ目の理由は、例えば図１１、図１２では処理室内にキャリアガスを１０００ccm（ml/min）流し、圧力を２０Paとしているが、一般に１０００ccmの流量ではバタフライバルブの開度が５０%以上では圧力が例えば１−２Pa程度になってしまう。処理室内の圧力が例えば２０Paなどの高い値の方が、異物粒子に働くガス粘性力が大きくなり、ターボ分子ポンプで反射した異物粒子がウエハに到達する前に大きく減速し、結果として、ウエハまで到達するのを抑制する効果がある。
【００３２】
２つ目の理由はロック室と真空搬送室の差圧、及び真空搬送室と処理室の差圧による異物粒子舞上げ防止のためである。
【００３３】
図１１、図１２では真空搬送室の圧力は例えば３０Paとしているが、もし、処理室の圧力を例えば１Paとすると、ゲートバルブが７０−１が開いたときに、約３０Paの差圧で急激なガスの流れが発生し、異物粒子が舞い上がり、ウエハに付着するリスクが高い。異物舞上げ防止のためには差圧は１０Pa以下が望ましい。また、処理室内から真空搬送室へ堆積性のガスや腐食性の残留ガスあるいは異物粒子が流れ込むと、真空搬送室を汚染する恐れがあるため、処理室内に対して真空搬送室の圧力の方が陽圧である方が望ましい。従って、処理室の圧力をP１、真空搬送室の圧力をP２とすると、処理室と真空搬送室の間のゲートバルブを開ける直前の圧力は、次の関係を満たしていることが望ましい。
【００３４】
Ｐ２―Ｐ１≦１０［Ｐａ］                                        （１）
これと同様に、真空搬送室とロック室の間のゲートバルブを開ける直前は真空搬送室とロック室の圧力差も小さい方が良い。望ましくは１０Ｐａ以下が良い。また、差圧がゼロでない場合には、ロック室の方が真空搬送室に対して陽圧である方が望ましい。即ち、ロック室の圧力をP３としたとき、真空搬送室とロック室の間のゲートバルブを開ける直前は
Ｐ３−Ｐ２≦１０［Ｐａ］                                        （２）
の関係が成り立つのが望ましい。この理由を次に述べる。
図１１、図１２の例に示したように、ロック室の真空引きについては、例えば４０Paに到達した時点で真空引きが完了したものとしている。即ち、
Ｐ１＝２０［Ｐａ］、Ｐ２＝３０［Ｐａ］、Ｐ３＝４０［Ｐａ］        （３）
となっている。
【００３５】
ここで、例えば
Ｐ１＝５［Ｐａ］、Ｐ２＝１５［Ｐａ］、Ｐ３＝２５［Ｐａ］          （４）
である場合を考える。この場合、ロック室の真空引き完了圧力が低くなるため、真空引きにかかる時間が長くなり、スループットが低下するデメリットが生じる。
【００３６】
逆に、
Ｐ１＝５０、Ｐ２＝６０、Ｐ３＝７０
である場合、処理室内において、キャリアガスから処理ガスへ変換する時間と、処理ガスからキャリアガスに変換する時間が長くなり、処理室内での調圧時間に起因してスループットが低下するデメリットが生じる。このような理由から式（１）と式（２）を満たす範囲で、
Ｐ３＝３０〜５０［Ｐａ］
Ｐ２＝２０〜４０［Ｐａ］
Ｐ１＝１０〜３０［Ｐａ］
とすることが望ましい。そして、Ｐ１を１０〜３０Ｐａにするためにはバタフライバルブの開度を下げる必要が生じ、結果的に異物粒子がバタフライバルブのフラッパー上に落下し、ターボ分子ポンプ内に落下するのを防止する効果がある。
【００３７】
なお、近年、スループットの向上のため、ロック室の真空引き時間をより短くする必要が生じる場合がある。この場合、例えばロック室の真空引き完了圧力を１００Ｐａ前後とやや高めに設定することも選択肢としてあり得る。この場合の各圧力は例えば、
Ｐ３＝１４０［Ｐａ］
Ｐ２＝４０［Ｐａ］
Ｐ１＝３０［Ｐａ］
とし、真空搬送室と処理室の差圧に比べて真空搬送室とロック室の差圧の方を大きくするのが望ましい。即ち
Ｐ２−Ｐ１≦Ｐ３−Ｐ２
である。これは処理室内の方がロック室内や真空搬送室内に比べて異物による汚染のリスクが高いためである。ただし、異物舞上げ防止よりスループット向上を優先する場合であっても、ロック室と真空搬送室の差圧は１００Pa以下とするのが望ましい。
【００３８】
なお、フラッパーは、例えば放電時間換算で５００時間毎に行われる全掃時に洗浄済みのものと交換することが望ましい。ここで全掃とは、処理室内等を大気開放し、スワップパーツの交換・洗浄等のクリーニング作業を言う。
【００３９】
また、簡易メンテや簡易全掃時にはターボ分子ポンプを停止して、図１３に示したように、異物落下防止用のストッパーが上方になるようにフラッパーを回転させて、ターボ分子ポンプ内に異物粒子を落とし、フラッパー上に落下した異物粒子を除去する運用を行っても良い。
【図面の簡単な説明】
【００４０】
【図１Ａ】本発明の一実施例になるバタフライバルブを横から見た概略図である。
【図１Ｂ】図１Ａのバタフライバルブのフラッパーを立体的に示した斜視図である。
【図２】本発明が適用されるプラズマ処理装置の全体構成の概要について説明する図である。
【図３】図２に示した構成のうち、処理室と真空搬送室とロック室の構成をより詳細に示した図である。
【図４Ａ】本発明の一実施例になるバタフライバルブが全閉（開度θ＝０％）の状態を示す図である。
【図４Ｂ】本発明の一実施例になるバタフライバルブの開度が２０%の状態を示す図である。
【図４Ｃ】本発明の一実施例になるバタフライバルブの開度が全開（開度θ＝１００％）の状態を示す図である。
【図５Ａ】プラズマ処理中や処理前後において、本発明の一実施例になるバタフライバルブの上方で発生した異物粒子がバタフライバルブのフラッパーに落下・付着している様子を示している図である。
【図５Ｂ】フラッパー上に異物粒子が落下した状態で、フラッパーを開けたときの物粒子落下防止用のストッパーの作用を説明する図である。
【図６Ａ】比較例として、ストッパーが無い場合の、異物流がフラッパー上に落下・付着した状態を示している図である。
【図６Ｂ】図６Ａの状態から開度を上げたときの、異物流がフラッパー上に落下・付着する状態を示す図である。
【図７】フラッパーが４枚設置されたバタフライバルブに本発明を適用した例を示す図である。
【図８】本発明の他の実施例になるバタフライバルブの構成を示す図である。
【図９】本発明の他の実施例になるバタフライバルブの構成を示す図である。
【図１０Ａ】異物落下防止ストッパーの大きさの制限について説明する図であり、望ましい場合を示している。
【図１０Ｂ】異物落下防止ストッパーの大きさの制限について説明する図であり、望ましくない場合を示している。
【図１１】本発明を採用した真空処理装置でウエハの処理する場合を例として、ウエハの位置、ゲートバルブの開閉、ロック室と処理室と真空搬送室におけるガス供給量と圧力、及びバタフライバルブの開度の時間変化を示す図である。
【図１２】本発明を採用した真空処理装置でウエハの処理する場合を例として、ウエハの位置、ゲートバルブの開閉、ロック室と処理室と真空搬送室におけるガス供給量と圧力、及びバタフライバルブの開度の時間変化を示す図である。
【図１３】本発明の異物落下防止用のストッパー付きフラッパーの、運用例を示す図である。
【符号の説明】
【００４１】
１：処理室、２：被処理体、３：アンテナ、４：戴置電極、５：シャワープレート、６：分散板、７：ガス孔、２０：ソース電源、２１：バイアス電源、２２：整合器、２６：コイル、２７：ヨーク、３９：制御コンピューター、４１：ターボ分子ポンプ、４２：ドライポンプ、４３：バタフライバルブ、４４：メインバルブ、４６：ベントガス供給系、４９：ガス供給源、５０：マスフローコントローラー、５１：ガス分配器、５２：バルブ、５３：レギュレーター、５４：真空計、６０：プラズマ処理ユニット、６１：真空搬送室、６２：真空搬送ロボット、６３：大気搬送室、６４：大気搬送ロボット、６５：ロック室、６６：ウエハアライナー、６７：ウエハステーション、６８：フープ、６９：ウエハエッジクリーナー 、７０：ゲートバルブ、７３：上下駆動機構、８０：異物粒子、８４：ガスディフューザー、８７：フラッパー、８８：ストッパー、２：処理ガス供給系、９３：キャリアガス供給系、１７１：回転軸、１７２：蓋、１７３：ブレード、１７４：かえし。
【図１Ａ】
2010040746.tif 000003
【図１Ｂ】
2010040746.tif 000004
【図２】
2010040746.tif 000005
【図３】
2010040746.tif 000006
【図４Ａ】
2010040746.tif 000007
【図４Ｂ】
2010040746.tif 000008
【図４Ｃ】
2010040746.tif 000009
【図５Ａ】
2010040746.tif 000010
【図５Ｂ】
2010040746.tif 000011
【図６Ａ】
2010040746.tif 000012
【図６Ｂ】
2010040746.tif 000013
【図７】
2010040746.tif 000014
【図８】
2010040746.tif 000015
【図９】
2010040746.tif 000016
【図１０Ａ】
2010040746.tif 000017
【図１０Ｂ】
2010040746.tif 000018
【図１１】
2010040746.tif 000019
【図１２】
2010040746.tif 000020
【図１３】
2010040746.tif 000021